(57)【要約】【課題】  ディスクの回転によって生じる気流による生じるディスクの振動を低減することができるディスク装置を提供する。【解決手段】  磁気ディスク装置は、回転する磁気ディスクと、磁気ディスクを収納するベース１０２及びトップ・カバーと、磁気ディスクの外周に沿って設けられる整流壁２１１と、装置内の塵埃を捕獲する循環フィルタとを有し、整流壁２１１は、磁気ディスクの外周に対向する位置に形成され、対向する位置外に段差２２１ａを有し、この段差２２１ａとトップ・カバーとの間隙により開口が形成される。この開口部が流入口となって磁気ディスクの回転に伴い生じる気流を流入させ、循環フィルタは流入された気流の塵埃を捕集する。【選択図】  図２
2006179118.tif 000002
【特許請求の範囲】
【請求項１】
回転するディスクと、
前記ディスクを収納するベース及びトップ・カバーと、
前記ディスクの外周に沿って設けられる整流壁と、
装置内の塵埃を捕獲する循環フィルタとを有し、
前記整流壁は、前記ディスクの外周に対向する位置外に形成される開口を有し、前記開口から前記ディスクの回転に伴い生じる気流を流入させる
ことを特徴とするディスク装置。
【請求項２】
前記整流壁は、前記ディスクの最上面と前記トップ・カバーとの間に第１の開口を有し、前記第１の開口から前記ディスクの回転に伴い生じる気流を流入させる
ことを特徴とする請求項１記載のディスク装置。
【請求項３】
前記ディスクは２以上であって、
前記整流壁は、前記２以上のディスクの間隙に位置する第２の開口を有し、前記第２の開口から前記ディスクの回転に生じる気流を流入させる
ことを特徴とする請求項１又は２記載のディスク装置。
【請求項４】
前記整流壁は、前記ディスクの最下面と前記ベースの底面との間に第３の開口を有し、前記第３の開口から前記ディスクの回転に伴い生じる気流を流入させる
ことを特徴とする請求項１乃至３のいずれか１項記載のディスク装置。
【請求項５】
前記整流壁は、前記ベースに一体的に形成されている
ことを特徴とする請求項１記載のディスク装置。
【請求項６】
前記トップ・カバーと前記ベースとを密封するガスケットを有し、
前記第１の開口の前記ディスクの回転軸方向の高さは、前記ガスケットの厚さと同一である
ことを特徴とする請求項２記載のディスク装置。
【発明の詳細な説明】
【技術分野】
【０００１】
本発明は、ディスクの回転に伴う気流により生じるフラッタの低減を図ったディスク装置に関する。
【背景技術】
【０００２】
情報記憶再生装置として、光ディスクや磁気テープなどの様々な態様のメディアを使用する装置が知られているが、その中で、ハードディスク・ドライブは、コンピュータの記憶装置として広く普及し、現在のコンピュータ・システムにおいて欠かすことができない記憶装置の一つとなっている。さらに、コンピュータ・システムにとどまらず、動画像記憶再生装置、カー・ナビゲーション・システム、あるいはデジタル・カメラなどで使用されるリムーバブル・メモリなど、ハードディスク・ドライブの用途は、その優れた特性により益々拡大している。
【０００３】
ハードディスク・ドライブは、データを記憶する磁気ディスクと、磁気ディスクとの間のデータ読み出し及び／もしくは書き込みを行うヘッド、及び、ヘッドを磁気ディスク上の所望の位置に移動するアクチュエータを備えている。アクチュエータはボイス・コイル・モータによって駆動され、回動軸を中心として回動することによって、回転する磁気ディスク上でヘッドを半径方向に移動する。これによって、ヘッドが磁気ディスクに形成された所望のトラックにアクセスし、データの読み出し／書き込み処理を行うことができる。
【０００４】
ところで、このＨＤＤは、ＨＤＤのベースとトップ・カバーで密閉された機構部（Hard Disk Assembly（ＨＤＡ））内において、ヘッドとディスクのインターフェースの信頼性を確保するため、磁気ヘッドを駆動するアクチュエータから漏れ出る潤滑油や、駆動機構の摩耗によって発生する恐れがある微少な塵埃を除去する必要がある。したがって、この塵埃を捕集する循環フィルタがＨＤＡ内の圧力差が発生する部位に配置される。磁気ディスクが回転すると、ディスク外周でディスクの回転方向に気流が生じ、この気流が循環フィルタを通過することによって、気流に含まれる塵埃を除去することができる。
【０００５】
ＨＤＤの記録トラックの短ピッチ化が進むにつれ高精度のトラッキング精度が望まれるが、回転時の磁気ディスクの振動はこのトラッキング動作の精度に大きな影響を与える。ＨＤＡ内においてはディスクの回転に伴い気流は発生するが、この気流はディスクの外周に沿って一部断続的に設けられる整流壁によりスムーズに流れることで、気流により生じるディスクの振動を抑制する。したがって、この整流壁はできる限り連続的に形成されることが好ましい。ただし、上述の循環フィルタを配置する例えばＨＤＡの隅部などにおいては循環フィルタに対し気流を流入する流入口及び循環フィルタから気流を流出させる流出口を設ける関係上、通常この整流壁は不連続となる。
【０００６】
そこで、特許文献１に記載の情報記録媒体駆動装置においては、円板型の情報記録媒体を収容するケーシングの隅部に設けられて、情報記録媒体の外周に沿ってその回転方向に生じる気流を整流する整流壁と、整流壁に形成された流入開口から整流壁の背後に導入される気流に含まれる塵埃を捕獲する循環フィルタとを備え、情報記録媒体の外周に沿った隅部の長さＬと、流入開口の幅ｄとの関係ｄ／Ｌを調整することによって、ディスクの高速回転時にディスク外周で発生する気流の乱れによる磁気ディスクの振動の増長の防止を図っている。
【特許文献１】特開平１１−７３７５６号公報
【発明の開示】
【発明が解決しようとする課題】
【０００７】
しかしながら、特許文献１に記載の技術においては、気流を流入させるためにベースの底部まで達する流入開口を設けているため、この流入開口が形成される位置でディスクの外周に沿って形成される整流壁が不連続となり、これにより気流が乱されディスクに振動が生じてしまう。
【０００８】
本発明は、このような問題点を解決するためになされたものであり、ディスクの回転によって生じる気流による生じるディスクの振動を低減することができるディスク装置を提供することを目的とする。
【課題を解決するための手段】
【０００９】
上述した目的を達成するために、本発明にかかるディスク装置は、回転するディスクと、前記ディスクを収納するベース及びトップ・カバーと、前記ディスクの外周に沿って設けられる整流壁と、装置内の塵埃を捕獲する循環フィルタとを有し、前記整流壁は、前記ディスクの外周に対向する位置外に形成される開口を有し、前記開口から前記ディスクの回転に伴い生じる気流を流入させることを特徴とする。
【００１０】
本発明においては、循環フィルタへ気流を流入させる流入側及び気流を流出させる流出側において従来整流壁が不連続となっていたのに対し、流入口となる開口をディスクの外周に対向する位置外に設けることで、流入側における整流壁を連続的に形成することができ、これによりディスクの回転によって生じる気流をスムーズに流すことができる。
【００１１】
この場合、前記整流壁は、前記ディスクの最上面と前記トップ・カバーとの間に第１の開口を有し、前記第１の開口から前記ディスクの回転に伴い生じる気流を流入させることができ、ディスクの外周に対向する位置外として最上面とトップ・カバーとの間に開口を設けることができる。
【００１２】
また、前記ディスクは２以上であって、前記整流壁は、前記２以上のディスクの間隙に位置する第２の開口を有し、前記第２の開口から前記ディスクの回転に生じる気流を流入させることができ、ディスクが２以上の場合は、ディスク間に上記開口を設けることができる。
【００１３】
更に、前記整流壁は、前記ディスクの最下面と前記ベースの底面との間に第３の開口を有し、前記第３の開口から前記ディスクの回転に伴い生じる気流を流入させることができ、ディスクの外周に対向する位置外として最下面とベースの底面との間に開口を設けることができる。
【００１４】
また、前記整流壁は、前記ベースに一体的に形成することができ、一体的に整流壁を形成することで製造容易となり、流入側で整流壁を連続させるための新たな部品等を不要とすることができる。
【００１５】
更に、前記トップ・カバーと前記ベースとを密封するガスケットを有し、前記第１の開口の前記ディスクの回転軸方向の高さを前記ガスケットの厚みと同一とすることができ、これにより、整流壁に段差を設けることで上記開口を形成することができ、製造容易でかつ大きな開口を設けることができる。
【発明の効果】
【００１６】
本発明に係るディスク装置によれば、ディスクの回転によって生じる気流による生じるディスクの振動を低減することができる。
【発明を実施するための最良の形態】
【００１７】
以下、本発明を適用した具体的な実施の形態について、図面を参照しながら詳細に説明する。この実施の形態は、本発明を、例えば２．５型の高速回転かつ高ＴＰＩであるハード・ディスク・ドライブ（ＨＤＤ）に適用したものである。
【００１８】
図１は、本実施の形態に係るＨＤＤ１００の概略構成を示すための平面図である。また、図２は、ベースを示す斜視図である。また、図３は、ベースの平面図、図４は、ＨＤＤのエンクロージャ内の塵埃を捕獲することでその清浄度を維持するための循環フィルタ部を拡大して示す斜視図である。
【００１９】
図１において、１０１はデータが記録されるディスクであって、磁性層が磁化されることによってデータを記憶する不揮発性の磁気ディスクである。１０２はハードディスク・ドライブ１００の各構成要素を収容するベースである。ベース１０２は、ベース１０２の上部開口を塞ぐカバー２０１とガスケット２０２を介して固定されることによってディスクエンクロージャを構成し、ハードディスク・ドライブ１００の各構成要素を密閉状態で収容することができる。
【００２０】
特に、本実施の形態におけるベース１０２は、磁気ディスク１０１の回転によって生じる気流がスムーズに流れるよう磁気ディスク１０１の外周に沿って整流壁２１１がほぼ連続的に形成されている。具体的には、整流壁２１１は後述するアクチュエータ・アーム１０８が揺動する位置及び循環フィルタ２１２から気流が流出するための流出口２２３以外は、磁気ディスク１０１の外周に沿って形成される。循環フィルタ２１２は、ベース１０２の隅部に配置され、隅部に磁気ディスク１０１の回転に応じて生じる気流２１３が流入される。循環フィルタ２１２はその気流２１３に含まれる塵埃を捕集し、循環フィルタ２１２を通過した気流は流出口２２３から排出される。
【００２１】
１０３はスピンドル・モータ、１０４はスピンドル・モータ１０３に設けられているハブである。１０５は、ホスト（不図示）との間で入出力されるデータについて、磁気ディスク１０１への書き込み及び／又は読み出しを行うヘッドである。ヘッド１０５は、磁気ディスク１０１への記憶データに応じて電気信号を磁界に変換する記録素子及び／又は磁気ディスク１０１からの磁界を電気信号に変換する再生素子と、記録素子及び／又は再生素子がその面上に形成されているスライダとを有している。上述の循環フィルタ２１２による塵埃の捕集により、ヘッド１０５と磁気ディスク１０１との間にゴミを巻き込むことによるヘッド・クラッシュを防止すること等ができる。
【００２２】
１０６はヘッド１０５を保持、移動するアクチュエータである。アクチュエータ１０６は、回動軸１０７に回動自在に保持されており、アクチュエータ・アーム１０８と駆動機構としてのＶＣＭ（ボイス・コイル・モータ）１０９とを備えている。アクチュエータ・アーム１０８は、ヘッド１０５が配置されたその先端部から、サスペンション１１０、ヘッド・アーム１１１及びコイル・サポート１１２の順で結合された各構成部材を備えている。
【００２３】
１１３はフラットコイル、１１４はベース１０２に固定された上側ステータ・マグネット保持板である。尚、上側ステータ・マグネット保持板１１４は、主要部が便宜上切り欠いて図示され、外形が破線で示されている。図示されていないが、フラットコイル１１３の下側には、上側ステータ・マグネット保持板１１４との間においてフラットコイル１１３を挟むように、下側ステータ・マグネット保持板が配置される。ＶＣＭ１０９は、フラットコイル１１３、上側ステータ・マグネット保持板１１４に固定されたステータ・マグネット（不図示）、及び下側ステータ・マグネット保持板に固定されたステータ・マグネット（不図示）を備えている。１１５は、磁気ディスク１０１の回転が停止するときには、ヘッド１０５を磁気ディスク１０１から退避させるためのランプ機構である。１１６はサスペンション１１０の先端部に形成されたタブである。尚、ヘッド１０５がデータ書き込み／読み出し処理を行わない場合に、磁気ディスク１０１の内周に配置されているゾーンに退避するＣＳＳ（Contact Start and Stop）方式に、本形態のアクチュエータ１０６を適用することも可能である。
【００２４】
磁気ディスク１０１は、ベース１０２の底面に固定されたスピンドル・モータ１０３のハブ１０４に一体的に保持され、スピンドル・モータ１０３により所定の速度で回転駆動される。ハードディスク・ドライブ１００の非動作時には、磁気ディスク１０１は静止している。回動軸１０７に回動自在に保持されたコイル・サポート１１２には、コイル・サポート・アーム１１２ａ、１１２ｂが形成されている。コイル・サポート・アーム１１２ａ、１１２ｂは、回動軸１０７に対してヘッド・アーム１１１と反対側において、フラットコイル１１３を保持する。ＶＣＭ１０９は、コントローラ（不図示）からフラットコイル１１３に流される駆動信号に応じて、回動軸１０７を中心としてアクチュエータ・アーム１０８を回動し、磁気ディスク１０１の上にヘッド１０５を移動する、もしくは、磁気ディスク１０１の外側へヘッド１０５を移動することができる。
【００２５】
磁気ディスク１０１に対するデータの読み取り／書き込みのため、アクチュエータ１０６は回転している磁気ディスク１０１表面のデータ領域上空にヘッド１０５を移動する。アクチュエータ１０６が回動することによって、ヘッド１０５が磁気ディスク１０１の表面の半径方向に沿って移動する。これによって、ヘッド１０５が所望のトラックにアクセスすることができる。ヘッド１０５は、磁気ディスク１０１に対向するスライダのＡＢＳ（Air Bearing Surface）面と回転している磁気ディスク１０１との間の空気の粘性による圧力が、サスペンション１１０によって磁気ディスク１０１方向に加えられる圧力とバランスすることによって、ヘッド１０５は磁気ディスク１０１上を一定のギャップを置いて浮上する。
【００２６】
磁気ディスク１０１の回転が停止すると、ヘッド１０５が磁気ディスク１０１表面に接触し、吸着現象によってデータ領域の傷の発生、磁気ディスクの回転不能などの問題が起こるため、磁気ディスク１０１の回転が停止するときには、アクチュエータ１０６はヘッド１０５をデータ領域からランプ機構１１５に退避させる。アクチュエータ１０６がランプ機構１１５の方向に回動し、アクチュエータ先端部のタブ１１６がランプ機構１１５表面上を摺動しながら移動し、ランプ機構１１５上のパーキング面に載ることにより、磁気ヘッド１０５がアンロードされる。ロードのときには、パーキング面に支持されていたアクチュエータ１０６は、ランプ機構１１５から離脱して磁気ディスク１０１表面上空に移動する。
【００２７】
ここで、磁気ディスク１０１は、１又は複数枚からなり、また片面又は両面記録のいずれであってもよい。両面記憶のときは各記憶面を走査するヘッドを保持するサスペンションを記録面に対応する数用意し、一の磁気ディスク１０１に対して、一方のサスペンション１１０と所定の間隔をおいて重なる位置でヘッド・アームを介してコイル・サポート１１２に固定する。また、複数枚の磁気ディスクを両面記憶する場合には、ハブ１０４によってスピンドル・モータ１０３の回転軸方向に所定の間隔で複数枚の磁気ディスクを一体的に保持する。それぞれ各記憶面を走査するヘッドを保持するサスペンションを記憶面の数だけ用意し、図１のサスペンション１１０と所定の間隔をおいて重なる位置でヘッド・アームを介してコイル・サポート１１２に固定する。
【００２８】
次に、本実施の形態のＨＤＤ１００について更に詳細に説明する。ＨＤＤ１００のベース１０２には、上述したように、磁気ディスク１０１が配置される磁気ディスク１０１の外形と略同形の凹部（格納部）２２０が設けられ、この格納部２２０に１又は複数枚の磁気ディスク１０１が格納される。本実施の形態においては、図２の矢印２４０の方向にディスクが回転する。ここで、格納部２２０の底面はベース１０２の底面であるが、アクチュエータ・アーム１０８が配置される格納部２３０の底面より高く形成される。これは、磁気ディスク１０１が配置される格納部２２０の底面が磁気ディスク１０１に近接しているほど、すなわち磁気ディスク１０１の最下面とこの最下面に対向する格納部２３０の底面との距離が小さいほど磁気ディスク１０１の回転によって生じる気流による振動が抑制されるためである。
【００２９】
また、磁気ディスク１０１の格納部２２０の側壁（整流壁２１１）は磁気ディスク１０１の外周に沿って対向するよう形成される。整流壁２１１により、磁気ディスク１０１の回転により、その外周で発生する気流の乱れを抑制し、気流の乱れにより磁気ディスク１０１に生じる振動の影響を抑制する。したがって、この整流壁２１１は、磁気ディスク１０１の外周で発生する気流をスムーズに流すために磁気ディスク１０１の外周全域に亘って連続して形成されることが好ましいが、上述したようにアクチュエータ・アーム１０８が揺動する位置と、循環フィルタ２１２への気流の流入・流出口は従来不連続となっていた。
【００３０】
ただし、気流の流れをスムーズにしてフラッタを抑制するためには、この整流壁２１１をできるだけ連続して形成することが好ましい。また、近時の磁気ディスク１０１の記録容量の増加に伴い磁気ディスク１０１のＴＰＩが狭くなってくると、振動の影響が大きくなり、少しでも振動を低減させることが望まれる。これらの実情に鑑み、この整流壁をできる限り連続させるべく、本願発明者等が鋭意研究した結果、流出口側に整流壁を設けた場合のフラッタの抑制効果に比して流入口位置の整流壁を連続的に形成し流入口側に整流壁を設けた場合の気流の乱れ・フラッタを抑制する効果が大きいこと、及び流入口側に整流壁を設けるとその流出口の大きさを実質上小さくし、流入する気流が減ることになるもののその塵埃の捕集効果にそれほど影響を与えないことを知見した。そして、循環フィルタ２１２に気流を流入させる流入口を磁気ディスク１０１の上面より上方に設けることで、循環フィルタ２１２の塵埃の捕集効果を極力維持しつつ整流壁２１１の連続性を増大させ、フラッタ抑制の効果を向上させることができることを見出した。
【００３１】
ここで、本実施の形態においては、従来整流壁が不連続となってしまう循環フィルタへの気流の流入口及び流出口のうち、流入口の位置をディスクの最上面より上に設けることで流入口部分においては整流壁を連続させるようにするものである。流入口２２１が従来より小さくなるものの、磁気ディスクの回転数が高いため気流の流入の減少及び塵埃の捕集効果にそれほど影響を与えることがない。
【００３２】
すなわち、本実施の形態におけるＨＤＤ１００においては、整流壁２１１の端部に循環フィルタ２１２を支持するための支持部２２２が形成され、この支持部２２２の手前に流入口用の段差２２１ａが設けられている。なお、本実施の形態においては、整流壁２１１等はベース１０２に一体的に形成されるものであるが、例えば従来流入口として設けられている位置に整流壁となるような部材を配置するようにしてもよい。ただし、整流壁２１１をベース１０２に一体的に形成すれば、製造容易となり、流入口に整流壁を設けるための新たな部品等が必要なくその製造コストも安価なものとすることができる。
【００３３】
図５（ａ）は、本実施の形態における流入口を示す模式図である。図２に示す段差２２１ａは、トップ・カバー２０１と開口を形成し、これが流入口２２１となる。すなわち、ベース１０２と固定されるトップ・カバー２０１がその縁部に介在されるガスケットを介して図５（ａ）に示すようにトップ・カバー２０１とベース１０２とが固定されることで、段差２２１ａとガスケット２０２の厚みにより流入口２２１が形成されることとなる。
【００３４】
ただし、この流入口２２１は、図５（ａ）に示すように少なくとも磁気ディスク１０１の上面より上方に設けられる。この場合、磁気ディスク１０１を複数枚有する場合は、最もトップ・カバー２０１側に配置される磁気ディスク１０１の上面（以下、最上面という。）より上方に設けられる。よって、流入口２２１の下方には、他の部位と同様に磁気ディスク１０１の外周に沿った整流壁２１１が形成される。少なくとも磁気ディスク１０１の外周に対向する位置に整流壁２１１があれば、流入口２２１により不連続とした場合と比較して、磁気ディスク１０１の回転により発生する気流をスムーズに流すことができ、流入口２２１によって気流が乱されることを抑制することができる。
【００３５】
整流壁２１１の端部に設けられる支持部２２２の磁気ディスク１０１の外周に対向する面は整流壁２１１を構成し、磁気ディスク１０１の外周形状に沿った滑らかな形状とされる。整流壁２１１は、支持部２２２の端部で開口（凹部）が形成され、この位置で不連続となる。そして、この開口が流入口２２１から流入した気流が流出する流出口２２３となる。流出口２２３の気流が流出する手前に循環フィルタ２１２が配置され、流入口２２１から流れ込んだ気流に含まれる塵埃を捕集する。この循環フィルタ２１２を挟持して支えるため、ベース１０２の底面から突出された段部２２６と、ベース１０２の側壁から突出された凸部２２５とが設けられている。また、流出口２２３の一端側の上記支持部２２２には循環フィルタ２１２を挿入する凹部２２４ａが設けられ、他端側の整流壁にも凹部２２４ｂが設けられている。循環フィルタ２１２はたとえば略矩形の板状のフィルタであり、この２つの凹部２２４ａ、２２４ｂに循環フィルタ２１２の両端部（矩形短辺側）が挿入され、かつ段部２２６と凸部２２５とでその上下面が狭持されることで循環フィルタ２１２が支持される。
【００３６】
ここで、本実施の形態においては、流入口２２１を磁気ディスク１０１の上面、ディスクが複数枚ある場合は、最上面より上方に設けるものとして説明したが、整流壁２１１をディスクの外周に対向する位置において連続させられればよく、したがって、磁気ディスク１０１の外周に対向する位置外に開口部を設け、流入口とすることができる。例えば図５（ｂ）に示すように、２枚の磁気ディスク１０１を備えるＨＤＤの場合、ベース１０２の底面側の磁気ディスク１０１とトップ・カバー２０１側の磁気ディスク１０１との間に開口をもうけこれを流入口２３１としてもよい。また、底面側の磁気ディスク１０１の下面（最下面）より下方に流入口２３２を設けることも可能である。更に、これらの流入口２３１、２３２のいずれか１以上を、磁気ディスク１０１の最上面に設ける流入口２２１と共に設けることも可能である。これにより、循環フィルタ２１２への気流の流入量を増大させ、循環フィルタ２１２によって、より速やかに塵埃を捕獲させることができる。
【００３７】
図６は、流入口２２１から流入した気流が循環フィルタ２１２を介して流出口２２３から流出する様子を説明する図である。回転する磁気ディスク１０１ａ、１０１ｂによって生じた気流は流入口２２１から流入し、循環フィルタ２１２により塵埃が捕獲され、清浄化された気流が流出口２２３から流出する。
【００３８】
次に、ＨＤＤにおいて実際に流入口に整流壁を形成した実施例にかかるＨＤＤと、流入口により整流壁を不連続とした従来例のＨＤＤとを比較して本発明の効果について説明する。一般には記録密度の増加によるトラックの高密度化等に伴い、所望のトラックのセンタライン上にヘッドを高精度で維持し続けることが困難になる。ヘッドの位置決め精度が悪化する要因の１つとしてヘッドとディスク媒体との間の相対的な振れを示す所謂ディスクランアウト（Disk Runout）が知られている。このディスクランアウトには、ディスクを回転駆動するスピンドル・モータの回転に同期して繰返し現れる反復性ランアウト（Repeatable Runout：ＲＲＯ）（１次ランアウト）と、当該回転に同期しない非反復性ランアウト（Non-Repeatable Runout：ＮＲＲＯ）とがあり、いずれによっても位置誤差信号ＰＥＳを大きくしてしまう原因となる。
【００３９】
このようなランアウト誤差は、近時のディスクの回転速度の高速化に伴うディスクを含む回転部材の空気抵抗（風損）の増大によって、益々増大し、例えば、ユーザ・データをトラックに書き込む際又は読み出す際にトラックに追従するために、位置誤差信号ＰＥＳからディスク等の回転による風損等による影響を軽減するような処理等が行われる。ただし、このような処理をするためにサーボ・データに基づき補正信号を生成し、これに基づきＶＣＭ１０９等を制御する必要があり、処理が煩雑となってしまう。
【００４０】
ここで、本発明の効果を説明するため、１トラックを２５６分割した単位（ＰＥＳ）で１２８をセンタとし、ＰＥＳのずれの大きさを測定することでサーボの安定性を測定した。図７及び図８は、縦軸にサーボの安定性（ＰＥＳ）、横軸にトラック（シリンダ）番号をとり、本発明を適用したＨＤＤ（実施例）と流入口に整流壁がない従来のＨＤＤ（従来例）の比較を示すグラフである。また、図９及び図１０は、縦軸にそれぞれ図７及び図８における実施例と比較例とのＰＥＳの差をとり、横軸にシリンダ番号をとったグラフ図であって、本発明を適用することによるサーボの安定性の改善を示す図である。
【００４１】
ＰＥＳの値は、０に近いほどサーボの安定性が高いことを示す。横軸のシリンダ番号は０〜５０００であり、０が外周側、５０００が内周側を示す。ここで、サーボの安定性を向上させる効果は図９に示すようにディスクの外側の方（シリンダ番号＝０側）の方が顕著となる。図８は、図７におけるシリンダ番号０〜１０を抜き出して示す図であり、図１０は、図９のシリンダ番号０〜１０を抜き出して示す図である。
【００４２】
また、図７乃至図１０においてＲＲＯ及びＮＲＲＯと、ＲＲＯとＮＲＲＯの二乗平均をとった値（ＡＬＬ）の３つのデータを示す。上述したようにＲＲＯは、モータの回転に起因するランアウトであり回転周波数に比例した一定周期で生じる振動であって、流入口に整流壁を形成しても改善されないものの、ＮＲＲＯの値が実施例より比較例の方が小さくなっているのがわかる。ＲＲＯは信号処理により取り除くことができるが、ＮＲＲＯは回転に同期しないランアウトであるため取り除くことが困難であるが、本発明を適用して流入口に整流壁を形成することで低減されているのがわかる。
【００４３】
なお、図７乃至図１０は、回転数７２００ｒｐｍの２．５型のＨＤＤを測定した結果を示すものであるが、塵埃を捕獲するために要する時間（クリーンナップ時間）は流入口２２１の下部に整流壁を形成しても２０秒程度であり、高速回転のＨＤＤにおいて得に増大する整流壁の不連続性に起因するフラッタを防止することができると共に、循環フィルタによる塵埃捕獲効果にほとんど影響を与えることがない。
【００４４】
なお、本発明は上述した実施の形態のみに限定されるものではなく、本発明の要旨を逸脱しない範囲において種々の変更が可能であることは勿論である。
【図面の簡単な説明】
【００４５】
【図１】本発明の実施の形態に係るＨＤＤの概略構成を示すための平面図である。
【図２】本発明の実施の形態に係るＨＤＤのベース及びトップ・カバーを示す斜視図である。
【図３】本発明の実施の形態に係るＨＤＤのベースを示す平面図である。
【図４】本発明の実施の形態に係るＨＤＤのベースにおける循環フィルタが配置される部位を拡大して示す斜視図である。
【図５】（ａ）は、本発明の実施の形態における流入口を示す模式図であり、（ｂ）及び（ｃ）本発明の実施の形態の変形例を示す模式図である。
【図６】流入口から流入した気流が循環フィルタを介して流出口から流出する様子を説明する図である。
【図７】縦軸にサーボの安定性（ＰＥＳ）をとり、横軸にシリンダをとって、本発明を適用したＨＤＤ（実施例）と流入口に整流壁がない従来のＨＤＤ（従来例）の比較を示すグラフ図である。
【図８】図７に示すシリンダ番号０〜１０を拡大して示すグラフ図である。
【図９】縦軸にサーボの安定性（ＰＥＳ）の実施例と比較例との差をとり、横軸にシリンダをとって、本発明を適用したＨＤＤ（実施例）と流入口に整流壁がない従来のＨＤＤ（従来例）の比較を示すグラフ図である。
【図１０】図９に示すシリンダ番号０〜１０を拡大して示すグラフ図である。
【符号の説明】
【００４６】
１０２  ベース、１０３  スピンドル・モータ
１０４  ハブ、１０５  ヘッド
１０６  アクチュエータ、１０７  回動軸
１０８  アクチュエータ・アーム、１１０  サスペンション
１１１  ヘッド・アーム、１１２  コイル・サポート
１１２ａ  コイル・サポート・アーム、１１３  フラットコイル
１１４  上側ステータ・マグネット保持板、１１５  ランプ機構
１１６  タブ、２０１  トップ・カバー
２０２  ガスケット、２１１  整流壁
２１２  循環フィルタ、２１３  気流
２２０  格納部、２２１ａ  段差
２２１，２３１，２３２  流入口、２２２  支持部
２２３  流出口、２２４ａ，２２４ｂ  凹部
２２５  凸部、２２６  段部
【図１】
2006179118.tif 000003
【図２】
2006179118.tif 000004
【図３】
2006179118.tif 000005
【図４】
2006179118.tif 000006
【図５】
2006179118.tif 000007
【図６】
2006179118.tif 000008
【図７】
2006179118.tif 000009
【図８】
2006179118.tif 000010
【図９】
2006179118.tif 000011
【図１０】
2006179118.tif 000012